(57)【要約】      （修正有）【課題】ドアホン子機とインターホン親機の間で送受信されるアナログの音声圧縮信号のＳ／Ｎ比を大きく設定し、周囲環境の雑音等の影響を抑えて良好な通話品質を確保する。【解決手段】ドアホン子機１の子機マイク１０１に入力されたアナログの音声信号を圧縮する子機音声圧縮回路１０４、及びインターホン親機２の親機マイク２０１に入力されたアナログの音声信号を圧縮する親機音声圧縮回路２０４ではそれぞれ、逆並列接続された１対のダイオードが有するダイオード電圧特性を利用して圧縮を行う。一方、ドアホン子機の子機音声圧縮回路を経由して圧縮された音声圧縮信号を伸張するインターホン親機の親機音声伸張回路２０５、及びインターホン親機の親機音声圧縮回路を経由して圧縮された音声圧縮信号を伸張するドアホン子機の子機音声伸張回路１０５ではそれぞれ、逆並列接続された１対のダイオードが有するダイオード電圧特性を利用して伸張を行う。【選択図】図１
2008061006.tif 000002
【特許請求の範囲】
【請求項１】
玄関に設置され親機呼び出しのための呼出操作を行う呼出ボタン（１００）、子機マイク（１０１）、子機スピーカ（１０２）を有するドアホン子機（１）と、住戸内に設置され伝送路（Ｌ）を経由して接続された前記ドアホン子機からの呼び出しに応答して通話を成立させるための親機マイク（２０１）、親機スピーカ（２０２）を有するインターホン親機（２）とを設け、
前記ドアホン子機は、前記子機マイクに入力された音声信号を圧縮して音声圧縮信号を生成するための子機音声圧縮回路（１０４）と、前記インターホン親機から前記伝送路を経由して伝送されてくる音声圧縮信号を伸張するための子機音声伸張回路（１０５）とを備え、
前記インターホン親機は、前記親機マイクに入力された音声信号を圧縮して音声圧縮信号を生成するための親機音声圧縮回路（２０４）と、前記ドアホン子機から前記伝送路を経由して伝送されてくる音声圧縮信号を伸張するための親機音声伸張回路（２０５）とを備え、
前記子機音声圧縮回路、前記親機音声圧縮回路はそれぞれ、前記音声信号が入力される入力抵抗（Ｒ104a、Ｒ204a）及び出力信号を帰還させるための第１の帰還抵抗（Ｒ104b、Ｒ204b）が接続されたオペアンプ（ＯＰ104、ＯＰ204）と、前記第１の帰還抵抗に並列接続され、前記音声信号を一対のダイオード（Ｄ104a、Ｄ104b、Ｄ204a、Ｄ204b）が有する順方向電圧までは前記入力抵抗と前記第１の帰還抵抗との比によって得られるゲインで前記オペアンプより出力し、前記順方向電圧を超えた領域ではダイオード電圧特性によって圧縮され前記オペアンプより出力するための逆並列接続された前記一対のダイオード及び第２の帰還抵抗（Ｒ104c、Ｒ204c）の直列回路とから構成され、
前記子機音声伸張回路、前記親機音声伸張回路はそれぞれ、前記音声圧縮信号が入力される第１の入力抵抗（Ｒ105a、Ｒ205a）及び出力信号を帰還させるための帰還抵抗（Ｒ105c、Ｒ205c）が接続されたオペアンプ（ＯＰ105、ＯＰ205）と、前記第１の入力抵抗に並列接続され、前記音声信号を一対のダイオード（Ｄ105a、Ｄ105b、Ｄ205a、Ｄ205b）が有する順方向電圧までは前記第１の入力抵抗と前記帰還抵抗との比によって得られるゲインで前記オペアンプより出力し、前記順方向電圧を超えた領域ではダイオード電圧特性によって伸張され前記オペアンプより出力するための逆並列接続された前記一対のダイオード及び第２の入力抵抗（Ｒ105b、Ｒ205b）の直列回路とから構成されることを特徴とするインターホン装置。
【請求項２】
前記インターホン親機は、前記親機音声圧縮回路又は前記子機音声圧縮回路を経由して圧縮された音声圧縮信号を録音するためのメモリ（２０６）と、前記メモリに録音された音声圧縮信号を読み出し、前記親機伸張回路を経由して伸張し前記親機スピーカより再生させるための親機制御回路（２０９）とを備えたことを特徴とする請求項１記載のインターホン装置。
【発明の詳細な説明】
【技術分野】
【０００１】
本発明はインターホン装置に係り、特に、伝送路を経由して接続されたドアホン子機及びインターホン親機の間で通話を成立させるにあたり送受信される音声信号の圧縮／伸張手段を備えたインターホン装置に関する。
【背景技術】
【０００２】
従来から、移動通信等の分野で使用され、携帯電話等におけるノイズリアクションで使用されるアナログコンパンダ回路が開示されている。このアナログコンパンダ回路には、通話を成立させるにあたり音声信号を送受信する機器に設けられる入力信号の圧縮を行うコンプレッサ回路及び入力信号の伸張を行うエキスパンダ回路が備えられている（例えば、特許文献１を参照。）。
【０００３】
このコンプレッサ回路及びエキスパンダ回路によれば、アナログ処理によって入力信号の圧縮及び伸張をそれぞれ行っているため、入出力信号間の遅延が大幅に減少しエコー歪みが発生しなくなり、良好な音質をえることができる。また、回路規模を小さくすることができるため、消費電流も少なくなり低消費電流化が実現できる。
【０００４】
【特許文献１】特開平６−２３２７８５号公報（段落番号「００２４」、「００３１」、第１図乃至第４図）
【発明の開示】
【発明が解決しようとする課題】
【０００５】
背景技術に記載した特許文献１のコンプレッサ回路及びエキスパンダ回路には、通常、フェージングによるノイズ低減機能を備えたコンパンダ素子が適用されている。この機能によれば、送信側で音声信号の信号レベルを大きくし、受信側では、大きくされた分のレベルを小さくして元の信号レベルに戻すことができる。さらに、信号レベルを下げるときには、周囲環境の雑音（ノイズと同意。）等も信号レベルに伴って小さくなる性質を有している。
【０００６】
しかしながら、前述のコンパンダ素子を適用するにあたっては、コストが大きくなり音声信号に対する応答特性が遅いだけでなく、アナログの音声圧縮信号のＳ／Ｎ比が小さいため、周囲環境の雑音等の影響を受け易く良好な通話品質を確保することができなかった。
【０００７】
本発明は、この難点を解消するためになされたもので、伝送路を経由して接続されたドアホン子機及びインターホン親機の間で通話を成立させるにあたり送受信されるアナログの音声圧縮信号のＳ／Ｎ比を大きく設定し、周囲環境の雑音等の影響を抑えて良好な通話品質を確保することができるインターホン装置を提供することを目的としている。
【課題を解決するための手段】
【０００８】
前述の目的を達成するため、本発明の第１の態様であるインターホン装置は、玄関に設置され親機呼び出しを行い通話を成立するための呼出ボタン、子機マイク、子機スピーカを有するドアホン子機と、住戸内に設置され伝送路を経由して接続されたドアホン子機からの呼び出しに応答して通話を成立するための親機マイク、親機スピーカを有するインターホン親機とを設けたものである。ドアホン子機は、子機マイクに入力された音声信号を圧縮して音声圧縮信号を生成するための子機音声圧縮回路と、インターホン親機から伝送路を経由して伝送されてくる音声圧縮信号を伸張するための子機音声伸張回路とを備えたものである。インターホン親機は、親機マイクに入力された音声信号を圧縮して音声圧縮信号を生成するための親機音声圧縮回路と、ドアホン子機から伝送路を経由して伝送されてくる音声圧縮信号を伸張するための親機音声伸張回路とを備えたものである。子機音声圧縮回路、親機音声圧縮回路はそれぞれ、音声信号が入力される入力抵抗及び出力信号を帰還させるための第１の帰還抵抗が接続されたオペアンプと、第１の帰還抵抗に並列接続され、音声信号を１対のダイオードが有する順方向電圧までは入力抵抗と第１の帰還抵抗との比によって得られるゲインでオペアンプより出力し、順方向電圧を超えた領域ではダイオード電圧特性によって圧縮されオペアンプより出力するための逆並列接続された１対のダイオード及び第２の帰還抵抗の直列回路とから構成されるものである。子機音声伸張回路、親機音声伸張回路はそれぞれ、音声圧縮信号が入力される第１の入力抵抗及び出力信号を帰還させるための帰還抵抗が接続されたオペアンプと、第１の入力抵抗に並列接続され、音声信号を１対のダイオードが有する順方向電圧までは第１の入力抵抗と帰還抵抗との比によって得られるゲインでオペアンプより出力し、順方向電圧を超えた領域ではダイオード電圧特性によって伸張されオペアンプより出力するための逆並列接続された１対のダイオード及び第２の入力抵抗の直列回路とから構成されるものである。
【０００９】
また、本発明の第２の態様であるインターホン装置は、本発明の第１の態様において、インターホン親機は、親機音声圧縮回路又は子機音声圧縮回路を経由して圧縮された音声圧縮信号を録音するためのメモリと、メモリに録音された音声圧縮信号を読み出し、親機伸張回路を経由して伸張し親機スピーカより再生させるための親機制御回路とを備えたものである。
【発明の効果】
【００１０】
本発明のインターホン装置によれば、ドアホン子機の子機マイクに入力されたアナログの音声信号を圧縮する子機音声圧縮回路では、逆並列接続された１対のダイオードが有するダイオード電圧特性を利用して圧縮を行い、この圧縮された音声圧縮信号を伸張するインターホン親機の親機音声伸張回路では、逆並列接続された１対のダイオードが有するダイオード電圧特性を利用して伸張を行い親機スピーカから出力させることができる。また、インターホン親機の親機マイクに入力されたアナログの音声信号を圧縮する親機音声圧縮回路では、逆並列接続された１対のダイオードが有するダイオード電圧特性を利用して圧縮を行い、この圧縮された音声圧縮信号を伸張するドアホン子機の子機音声伸張回路では、逆並列接続された１対のダイオードが有するダイオード電圧特性を利用して伸張を行い子機スピーカから出力させることができる。このような音声信号の圧縮／伸張手段により、Ｓ／Ｎ比を大きく設定でき周囲環境の雑音等の影響を受け難く、良好な通話品質の確保が可能となる。
【００１１】
また、本発明のインターホン装置によれば、インターホン親機の親機音声圧縮回路又はドアホン子機の子機音声圧縮回路を経由して圧縮された音声圧縮信号はメモリに録音することができ、親機制御回路の制御によりメモリから読み出される音声圧縮信号は、親機音声伸張回路を経由して伸張され親機スピーカから再生させることができる。
【発明を実施するための最良の形態】
【００１２】
以下、本発明のインターホン装置を適用した最良の実施の形態例について、図面を参照して説明する。
【００１３】
図１は、本発明の実施例によるインターホン装置の全体構成を示すブロック図である。このインターホン装置には、玄関（住戸玄関）に設置されたドアホン子機１と、住戸内に設置され伝送路Ｌを経由して接続されたドアホン子機１からの呼び出し（親機呼び出し）に応答して通話を成立させるためのインターホン親機２とが設けられている。
【００１４】
また、ドアホン子機１は、呼出ボタン１００、子機マイク１０１、子機スピーカ１０２、子機通話回路１０３、子機音声圧縮回路１０４、子機音声伸張回路１０５、子機制御回路１０６、及び子機送受信回路（以下、子機Ｉ／Ｆという。）１０７を有している。このドアホン子機１において、呼出ボタン１００は、玄関に居る人物、例えば、来訪者が、インターホン親機２が設置された住戸内に在室中の人物、例えば、居住者を呼び出す、すなわち、親機呼び出しのために呼出操作を行うものである。
【００１５】
子機マイク１０１及び子機スピーカ１０２は、呼出操作を行った来訪者が居住者との間で通話を成立させるために音声（送話音声、受話音声）を入出力するものであり、子機通話回路１０３は、子機マイク１０１に入力された音声（送話音声）であるアナログの音声信号（以下、アナログ音声信号という。）を子機音声圧縮回路１０４に送出するとともに、子機音声伸張回路１０５を経由して伸張されたアナログ音声信号を子機スピーカ１０２に送出するためのものである。
【００１６】
子機音声圧縮回路１０４は、子機通話回路１０３を経由して伝送されてくるアナログ音声信号を圧縮して音声圧縮信号を生成するためのものであり、子機音声伸張回路１０５は、インターホン親機２から伝送路Ｌを経由して伝送されてくる音声圧縮信号を伸張するためのものである。
【００１７】
子機制御回路１０６は、当該ドアホン子機の構成各部／回路をそれぞれ制御するためのものである。具体的な制御として、子機制御回路１０６は、呼出ボタン１００の使用による呼出操作を検出して呼出信号を生成することができる。また、子機制御回路１０６は、インターホン親機２の後述する通話ボタン２００の使用による応答操作を検出して子機通話回路１０３、子機音声圧縮回路１０４及び子機音声伸張回路１０５がそれぞれ能動（動作開始）となるように制御することができる。
【００１８】
子機Ｉ／Ｆ１０７は、子機音声圧縮回路１０４から伝送路Ｌへの信号伝送ライン（通話ライン）、伝送路Ｌから子機音声伸張回路１０５への信号伝送ライン（通話ライン）、子機制御回路１０６及び伝送路Ｌの間の信号伝送ラインをそれぞれ形成するためのものである。
【００１９】
さらに、インターホン親機２は、通話ボタン２００、親機マイク２０１、親機スピーカ２０２、親機通話回路２０３、親機音声圧縮回路２０４、親機音声伸張回路２０５、メモリ２０６、録音／再生ボタン２０７、表示部２０８、親機制御回路２０９、及び親機送受信回路（以下、親機Ｉ／Ｆという。）２１０を有している。このインターホン親機２において、通話ボタン２００は、来訪者からの呼び出し（親機呼び出し）に居住者が応答するために応答操作を行うとともに、成立されていた通話を終了させるために終話操作（詳述せず。）を行うものである。
【００２０】
親機マイク２０１及び親機スピーカ２０２は、応答操作を行った居住者が来訪者との間で通話を成立させるために音声（送話音声、受話音声）を入出力するものであり、親機通話回路２０３は、親機マイク２０１に入力された音声（送話音声）であるアナログ音声信号を親機音声圧縮回路２０４に送出するとともに、親機音声伸張回路２０５を経由して伸張されたアナログ音声信号を親機スピーカ２０２に送出するためのものである。なお、親機スピーカ２０２は、前述の通話機能の他に、ドアホン子機１の呼出ボタン１００の使用により呼出操作を行った来訪者からの呼び出し（親機呼び出し）がある旨の呼出報知として、所定のパターンの呼出音や音声メッセージ等を放音することができる。
【００２１】
親機音声圧縮回路２０４は、親機通話回路２０３を経由して伝送されてくるアナログ音声信号を圧縮して音声圧縮信号を生成するためのものであり、親機音声伸張回路２０５は、ドアホン子機１から伝送路Ｌを経由して伝送されてくる音声圧縮信号及び親機制御回路２０９の制御によりメモリ２０６から読み出される音声圧縮信号をそれぞれ伸張するためのものである。
【００２２】
メモリ２０６は、親機音声圧縮回路２０４を経由して圧縮された音声圧縮信号又はドアホン子機１から伝送路Ｌを経由して伝送されてくる音声圧縮信号を記憶、すなわち、録音するためのものである。また、録音／再生ボタン２０７は、親機音声圧縮回路２０４を経由して圧縮された音声圧縮信号をメモリ２０６に録音するために居住者が録音操作を行うとともに、メモリ２０６に（予め）録音されている音声圧縮信号を読み出すために居住者が再生操作を行うものである。なお、メモリ２０６としては、例えば、ＲＡＭ、ＥＥＰＲＯＭ等の各種の記憶媒体が好適とされる。
【００２３】
表示部２０８は、ドアホン子機１の呼出ボタン１００の使用による呼出操作を行った来訪者からの呼び出し（親機呼び出し）がある旨を表示して呼出報知するためのものである。なお、表示部２０８としては、所定の文字メッセージや絵データ等を表示させて呼出報知を行う例えば、ＬＣＤ、有機ＥＬディスプレイや、所定のパターンで点滅又は点灯されて呼出報知を行う例えば、ＬＥＤ等の各種の表示媒体が好適とされる。
【００２４】
親機制御回路２０９は、当該インターホン親機の構成各部／回路をそれぞれ制御するためのものである。具体的な制御として、親機制御回路２０９は、通話ボタン２００の使用による応答操作を検出して応答信号を生成するとともに、親機通話回路２０３、親機音声圧縮回路２０４及び親機音声伸張回路２０５がそれぞれ能動（動作開始）となるように制御することができる。また、親機制御回路２０９は、親機音声圧縮回路２０４を経由して圧縮された音声圧縮信号をメモリ２０６に録音させるとともに、再生ボタン２０７の使用による再生操作を検出してメモリ２０６に（予め）録音されている音声圧縮信号を読み出し、親機音声伸張回路２０５を経由して伸張し親機スピーカ２０２から再生させることができる。さらに、親機制御回路２０９には、親機スピーカ２０２及び表示部２０８への呼出報知制御機能が備えられている。
【００２５】
親機Ｉ／Ｆ２１０は、親機音声圧縮回路２０４から伝送路Ｌへの信号伝送ライン（通話ライン）、伝送路Ｌから親機音声伸張回路２０５及びメモリ２０６への信号伝送ライン（通話ライン）、親機制御回路２０９及び伝送路Ｌの間の信号伝送ラインをそれぞれ形成するためのものである。
【００２６】
次に、ドアホン子機１の子機音声圧縮回路１０４及び子機音声伸張回路１０５、インターホン親機２の親機音声圧縮回路２０４及び親機音声伸張回路２０５の具体的な構成について、それぞれの図面を参照して説明する。
【００２７】
図２（ａ）は、ドアホン子機１の子機音声圧縮回路１０４の具体的な構成を示す電気回路図であり、入力抵抗Ｒ104aと、第１、第２の各帰還抵抗Ｒ104b、Ｒ104cと、逆並列接続された１対のダイオードＤ104a、Ｄ104bと、オペアンプＯＰ104とから構成されている。この子機音声圧縮回路１０４において、入力抵抗Ｒ104aは、子機通話回路１０３を経由して伝送されてくるアナログ音声信号を、オペアンプＯＰ104の反転入力端子に入力するためのものである。また、第１の帰還抵抗Ｒ104bは、オペアンプＯＰ104の反転入力端子及び出力端子の間に並列接続されており、出力信号を帰還させるためのものである。さらに、逆並列接続された１対のダイオードＤ104a、Ｄ104b及び第２の帰還抵抗Ｒ104cは直列回路を構成し、第１の帰還抵抗Ｒ104bに並列接続されており、子機通話回路１０３を経由して伝送されてくるアナログ音声信号を、図４（ａ）に示す１対のダイオードＤ104a、Ｄ104bが有する順方向電圧ＶＦまでは入力抵抗Ｒ104aと第１の帰還抵抗Ｒ104bとの比によって得られるゲインでオペアンプＯＰ104（の出力端子）より出力し、同図に示す順方向電圧ＶＦを超えた領域では、後述するダイオード電圧特性によって圧縮されオペアンプＯＰ104（の出力端子）より出力するためのものである。このオペアンプＯＰ104において、非反転入力端子は基準電位点に、出力端子は子機Ｉ／Ｆ１０７にそれぞれ接続されている。
【００２８】
なお、図４（ａ）は、ドアホン子機１の子機音声圧縮回路１０４及び子機音声伸張回路１０５、インターホン親機２の親機音声圧縮回路２０４及び親機音声伸張回路２０５をそれぞれ構成する逆並列接続された１対のダイオードが有するダイオード電圧特性図である。
【００２９】
図２（ｂ）は、ドアホン子機１の子機音声伸張回路１０５の具体的な構成を示す電気回路図であり、第１、第２の各入力抵抗Ｒ105a、Ｒ105bと、帰還抵抗Ｒ105cと、逆並列接続された１対のダイオードＤ105a、Ｄ105bと、オペアンプＯＰ105とから構成されている。この子機音声伸張回路１０５において、第１の入力抵抗Ｒ105aは、子機Ｉ／Ｆ１０７を経由して伝送されてくる（インターホン親機２からの）音声圧縮信号をオペアンプＯＰ105の反転入力端子に入力するためのものである。また、帰還抵抗Ｒ105cは、オペアンプＯＰ105の反転入力端子及び出力端子の間に並列接続されており、出力信号を帰還させるためのものである。さらに、逆並列接続された１対のダイオードＤ105a、Ｄ105b及び第２の入力抵抗Ｒ105bは直列回路を構成し、第１の入力抵抗Ｒ105aに並列接続されており、子機Ｉ／Ｆ１０７を経由して伝送されてくる（インターホン親機２からの）音声圧縮信号を、図４（ａ）に示す１対のダイオードＤ105a、Ｄ105bが有する順方向電圧ＶＦまでは第１の入力抵抗Ｒ105aと帰還抵抗Ｒ105cとの比によって得られるゲインでオペアンプＯＰ105（の出力端子）より出力し、同図に示す順方向電圧ＶＦを超えた領域では、後述するダイオード電圧特性によって伸張されオペアンプＯＰ105（の出力端子）より出力するためのものである。このオペアンプＯＰ105において、非反転入力端子は基準電位点に、出力端子は子機通話回路１０３にそれぞれ接続されている。
【００３０】
図３（ａ）は、インターホン親機２の親機音声圧縮回路２０４の具体的な構成を示す電気回路図であり、入力抵抗Ｒ204aと、第１、第２の各帰還抵抗Ｒ204b、Ｒ204cと、逆並列接続された１対のダイオードＤ204a、Ｄ204bと、オペアンプＯＰ204とから構成されている。この親機音声圧縮回路２０４において、入力抵抗Ｒ204aは、親機通話回路２０３を経由して伝送されてくるアナログ音声信号を、オペアンプＯＰ204の反転入力端子に入力するためのものである。また、第１の帰還抵抗Ｒ204bは、オペアンプＯＰ204の反転入力端子及び出力端子の間に並列接続されており、出力信号を帰還させるためのものである。さらに、逆並列接続された１対のダイオードＤ204a、Ｄ204b及び第２の帰還抵抗Ｒ204cは直列回路を構成し、第１の帰還抵抗Ｒ204bに並列接続されており、親機通話回路２０３を経由して伝送されてくるアナログ音声信号を、図４（ａ）に示す１対のダイオードＤ204a、Ｄ204bが有する順方向電圧ＶＦまでは入力抵抗Ｒ204aと第１の帰還抵抗Ｒ204bとの比によって得られるゲインでオペアンプＯＰ204（の出力端子）より出力し、同図に示す順方向電圧ＶＦを超えた領域では、後述するダイオード電圧特性によって圧縮されオペアンプＯＰ204（の出力端子）より出力するためのものである。このオペアンプＯＰ204において、非反転入力端子は基準電位点に、出力端子はメモリ２０６及び親機Ｉ／Ｆ２１０にそれぞれ接続されている。
【００３１】
図３（ｂ）は、インターホン親機２の親機音声伸張回路２０５の具体的な構成を示す電気回路図であり、第１、第２の各入力抵抗Ｒ205a、Ｒ205bと、帰還抵抗Ｒ205cと、逆並列接続された１対のダイオードＤ205a、Ｄ205bと、オペアンプＯＰ205とから構成されている。この親機音声伸張回路２０５において、第１の入力抵抗Ｒ205aは、親機Ｉ／Ｆ２１０を経由して伝送されてくる（ドアホン子機１からの）音声圧縮信号又はメモリ２０６から読み出された音声圧縮信号をオペアンプＯＰ205の反転入力端子に入力するためのものである。また、帰還抵抗Ｒ205cは、オペアンプＯＰ205の反転入力端子及び出力端子の間に並列接続されており、出力信号を帰還させるためのものである。さらに、逆並列接続された１対のダイオードＤ205a、Ｄ205b及び第２の入力抵抗Ｒ205bは直列回路を構成し、第１の入力抵抗Ｒ205aに並列接続されており、親機Ｉ／Ｆ２１０を経由して伝送されてくる（ドアホン子機１からの）音声圧縮信号又はメモリ２０６から読み出された音声圧縮信号を、図４（ａ）に示す１対のダイオードＤ205a、Ｄ205bが有する順方向電圧ＶＦまでは第１の入力抵抗Ｒ205aと帰還抵抗Ｒ205cとの比によって得られるゲインでオペアンプＯＰ205（の出力端子）より出力し、同図に示す順方向電圧ＶＦを超えた領域では、図４（ｂ）に示すダイオード電圧特性によって伸張されオペアンプＯＰ205（の出力端子）より出力するためのものである。このオペアンプＯＰ205において、非反転入力端子は基準電位点に、出力端子は親機通話回路２０３にそれぞれ接続されている。
【００３２】
このように構成された本発明の実施例によるインターホン装置において、以下、具体的な動作について、図１、図２、図３及び図４をそれぞれ参照して説明する。なお、図４（ｂ）は、図４（ａ）の各回路にて行われるアナログ音声信号の圧縮方法の一例及び音声圧縮信号の伸張方法の一例をそれぞれ示す波形図である。
【００３３】
図１に示すドアホン子機１及びインターホン親機２ａがそれぞれ待受状態、すなわち、玄関に居る来訪者から住戸内に在室中の居住者への呼び出し（親機呼び出し）がなく、来訪者及び居住者の間で通話も成立されていない待受時において、来訪者が居住者を呼び出すためにドアホン子機１の呼出ボタン１００を使用して呼出操作を行うと、この呼出操作を検出した子機制御回路１０６にて呼出信号Ｓ1が生成される。また、子機制御回路１０６にて生成された呼出信号Ｓ1は、子機Ｉ／Ｆ１０７、伝送路Ｌ、インターホン親機２の親機Ｉ／Ｆ２１０を順次経由して親機制御回路２０９に伝送される。
【００３４】
インターホン親機２の親機制御回路２０９は、受信した呼出信号Ｓ1をもとに、ドアホン子機１の呼出ボタン１００を使用して呼出操作を行った来訪者からの呼び出し（親機呼び出し）があることを検出する。この親機制御回路２０９は、親機スピーカ２０２から所定のパターンの呼出音や音声メッセージ等を放音させるとともに、表示部２０８を制御して所定の表示、例えば、文字メッセージや絵データ等の表示、或いは、点滅表示又は点灯表示を行い、居住者に対して呼出報知する。なお、親機スピーカ２０２から放音させる所定のパターンの呼出音や音声メッセージ等、及び／又は表示部２０８に表示させる文字メッセージや絵データ等は、メモリ２０６に（予め）記憶しておき、親機制御回路２０９の制御（図中に破線で示す。）により読み出すこともできる。
【００３５】
次に、前述の呼出報知を確認した居住者が、来訪者との間で通話を成立させるにあたりインターホン親機２の通話ボタン２００を使用して応答操作を行うと、この応答操作を検出した親機制御回路２０９にて応答信号Ｓ2が生成されるとともに、親機通話回路２０３、親機音声圧縮回路２０４及び親機音声伸張回路２０５がそれぞれ能動（動作開始）となるように制御され、さらには、メモリ２０６が録音可能な状態に制御される。これらの制御によって、居住者が使用する親機マイク２０１から親機通話回路２０３、親機音声圧縮回路２０４を順次経由して親機Ｉ／Ｆ２１０への信号伝送ライン（通話ライン）と、親機Ｉ／Ｆ２１０から親機音声伸張回路２０５、親機通話回路２０３を順次経由して居住者が使用する親機スピーカ２０２までの信号伝送ライン（通話ライン）及び親機Ｉ／Ｆ２１０からメモリ２０６への信号伝送ライン（通話／録音ライン）とがそれぞれ形成される。また、親機制御回路２０９にて生成された応答信号Ｓ2は、前述の呼出信号Ｓ1の信号伝送ラインと逆の経路でドアホン子機１の子機制御回路１０６に伝送される。
【００３６】
ドアホン子機１の子機制御回路１０６は、受信した応答信号Ｓ2をもとに、インターホン親機２の通話ボタン２００を使用して応答操作を行った居住者により応答があったことを検出する。この子機制御回路１０６は、子機通話回路１０３、子機音声圧縮回路１０４及び子機音声伸張回路１０５がそれぞれ能動（動作開始）となるように制御する。この制御によって、来訪者が使用する子機マイク１０１から子機通話回路１０３、子機音声圧縮回路１０４を順次経由して子機Ｉ／Ｆ１０７への信号伝送ライン（通話ライン）と、子機Ｉ／Ｆ１０７から子機音声伸張回路１０５、子機通話回路１０３を順次経由して来訪者が使用する子機スピーカ１０２までの信号伝送ライン（通話ライン）とがそれぞれ形成される。
【００３７】
次に、前述までの５種の信号伝送ラインがそれぞれ形成されている通話状態において、ドアホン子機１の子機マイク１０１に入力された来訪者の音声（送話音声）であるアナログ音声信号Ｓ10は、子機通話回路１０３、図２（ａ）に示す子機音声圧縮回路１０４を構成する入力抵抗Ｒ104aを順次経由して、オペアンプＯＰ104の反転入力端子に入力されるとともに逆並列接続された１対のダイオードＤ104a（のアノード）、Ｄ104b（のカソード）にそれぞれ印加される。
【００３８】
ドアホン子機１の子機音声圧縮回路１０４を構成するオペアンプＯＰ104は、反転入力端子に入力されたアナログ音声信号Ｓ10を、逆並列接続された１対のダイオードＤ104a、Ｄ104bが有する図４（ａ）に示す順方向電圧ＶＦまでは入力抵抗Ｒ104aと第１の帰還抵抗Ｒ104bとの比によって得られるゲインで増幅する一方、同図に示す順方向電圧ＶＦを超えた領域では、図４（ｂ）に示すダイオード電圧特性によって圧縮した音声圧縮信号（以下、子機音声圧縮信号という。）Ｓ11を生成する。この子機音声圧縮信号Ｓ11は、オペアンプＯＰ104の出力端子から子機Ｉ／Ｆ１０７、伝送路Ｌ、インターホン親機２の親機Ｉ／Ｆ２１０、図３（ｂ）に示す親機音声伸張回路２０５を構成する第１の入力抵抗Ｒ205aを順次経由して、オペアンプＯＰ205の反転入力端子に入力されるとともに逆並列接続された１対のダイオードＤ205a（のアノード）、Ｄ205b（のカソード）にそれぞれ印加される。また、子機音声圧縮信号Ｓ11は、オペアンプＯＰ104の出力端子から子機Ｉ／Ｆ１０７、伝送路Ｌ、インターホン親機２の親機Ｉ／Ｆ２１０を順次経由してメモリ２０６に伝送され、当該メモリに録音することができる。
【００３９】
インターホン親機２の親機音声伸張回路２０５を構成するオペアンプＯＰ205は、反転入力端子に入力された子機音声圧縮信号Ｓ11を、逆並列接続された１対のダイオードＤ205a、Ｄ205bが有する図４（ａ）に示す順方向電圧ＶＦまでは第１の入力抵抗Ｒ205aと帰還抵抗Ｒ205cとの比によって得られるゲインで増幅する一方、同図に示す順方向電圧ＶＦを超えた領域では、図４（ｂ）に示すダイオード電圧特性によって伸張したアナログ音声信号Ｓ10を生成する。このアナログ音声信号Ｓ10は、オペアンプＯＰ205の出力端子から親機通話回路２０３に送出される。
【００４０】
インターホン親機２の親機通話回路２０３は、親機音声伸張回路２０５を経由して伸張されたアナログ音声信号Ｓ10を親機スピーカ２０２に送出することにより、ドアホン子機１の子機マイク１０１に入力された来訪者の音声（送話音声）を受話音声として、親機スピーカ２０２から出力させることができる。
【００４１】
前述までの説明から明らかなように、ドアホン子機１の子機マイク１０１に入力された来訪者の音声（送話音声）を、このドアホン子機１に伝送路Ｌを経由して接続されたインターホン親機２の親機スピーカ２０２から受話音声として出力させるにあたり、伝送路Ｌを経由して伝送される子機音声圧縮信号Ｓ11のＳ／Ｎ比を大きく設定して周囲環境の雑音等の影響を抑えることにより、親機スピーカ２０２から出力される受話音声の音質を良好な通話品質で確保することができる。
【００４２】
一方、前述までの５種の信号伝送ラインがそれぞれ形成されている通話状態において、インターホン親機２の親機マイク２０１に入力された居住者の音声（送話音声）であるアナログ音声信号Ｓ20は、親機通話回路２０３、図３（ａ）に示す親機音声圧縮回路２０４を構成する入力抵抗Ｒ204aを順次経由して、オペアンプＯＰ204の反転入力端子に入力されるとともに逆並列接続された１対のダイオードＤ204a（のアノード）、Ｄ204b（のカソード）にそれぞれ印加される。
【００４３】
インターホン親機２の親機音声圧縮回路２０４を構成するオペアンプＯＰ204は、反転入力端子に入力されたアナログ音声信号Ｓ20を、逆並列接続された１対のダイオードＤ204a、Ｄ204bが有する図４（ａ）に示す順方向電圧ＶＦまでは入力抵抗Ｒ204aと第１の帰還抵抗Ｒ204bとの比によって得られるゲインで増幅する一方、同図に示す順方向電圧ＶＦを超えた領域では、図４（ｂ）に示すダイオード電圧特性によって圧縮した音声圧縮信号（以下、親機音声圧縮信号という。）Ｓ21を生成する。この親機音声圧縮信号Ｓ21は、オペアンプＯＰ105の出力端子から親機Ｉ／Ｆ２１０、伝送路Ｌ、ドアホン子機１の子機Ｉ／Ｆ１０７、図２（ｂ）に示す子機音声伸張回路１０５を構成する第１の入力抵抗Ｒ105aを順次経由して、オペアンプＯＰ105の反転入力端子に入力されるとともに逆並列接続された１対のダイオードＤ105a（のアノード）、Ｄ105b（のカソード）にそれぞれ印加される。
【００４４】
ドアホン子機１の子機音声伸張回路１０５を構成するオペアンプＯＰ105は、反転入力端子に入力された親機音声圧縮信号Ｓ21を、逆並列接続された１対のダイオードＤ105a、Ｄ105bが有する図４（ａ）に示す順方向電圧ＶＦまでは第１の入力抵抗Ｒ105aと帰還抵抗Ｒ105cとの比によって得られるゲインで増幅する一方、同図に示す順方向電圧ＶＦを超えた領域では、図４（ｂ）に示すダイオード電圧特性によって伸張したアナログ音声信号Ｓ20を生成する。このアナログ音声信号Ｓ20は、オペアンプＯＰ105の出力端子から子機通話回路１０３に送出される。
【００４５】
ドアホン子機１の子機通話回路１０３は、子機音声伸張回路１０５を経由して伸張されたアナログ音声信号Ｓ20を子機スピーカ１０２に送出することにより、インターホン親機２の親機マイク２０１に入力された居住者の音声（送話音声）を受話音声として、子機スピーカ１０２から出力させることができる。
【００４６】
前述までの説明から明らかなように、インターホン親機２の親機マイク２０１に入力された居住者の音声（送話音声）を、このインターホン親機２に伝送路Ｌを経由して接続されたドアホン子機１の子機スピーカ１０２から受話音声として出力させるにあたり、伝送路Ｌを経由して伝送される親機音声圧縮信号Ｓ21のＳ／Ｎ比を大きく設定して周囲環境の雑音等の影響を抑えることにより、子機スピーカ１０２から出力される受話音声の音質を良好な通話品質で確保することができる。
【００４７】
また、前述の通話成立時に録音された子機音声圧縮信号Ｓ11をインターホン親機２のメモリ２０６から読み出し、親機音声伸張回路２０５を経由して伸張し親機スピーカ２０２から再生させるにあたり、居住者が録音／再生ボタン２０７を使用して再生操作を行うと、この再生操作を検出した親機制御回路２０９は、メモリ２０６から読み出した子機音声圧縮信号Ｓ11を、図３（ｂ）に示す親機音声伸張回路２０５を構成する第１の入力抵抗Ｒ205aを経由して、オペアンプＯＰ205の反転入力端子に入力するとともに逆並列接続された１対のダイオードＤ205a（のアノード）、Ｄ205b（のカソード）にそれぞれ印加する。
【００４８】
インターホン親機２の親機音声伸張回路２０５を構成するオペアンプＯＰ205は、反転入力端子に入力された子機音声圧縮信号Ｓ11を、前述の通話成立時と同様、逆並列接続された１対のダイオードＤ205a、Ｄ205bが有する図４（ａ）に示す順方向電圧ＶＦまでは第１の入力抵抗Ｒ205aと帰還抵抗Ｒ205cとの比によって得られるゲインで増幅する一方、同図に示す順方向電圧ＶＦを超えた領域では、図４（ｂ）に示すダイオード電圧特性によって伸張したアナログ音声信号Ｓ10を生成する。このアナログ音声信号Ｓ10は、オペアンプＯＰ205の出力端子から親機通話回路２０３に送出される。
【００４９】
インターホン親機２の親機通話回路２０３は、親機音声伸張回路２０５を経由して伸張されたアナログ音声信号Ｓ10を親機スピーカ２０２に送出することにより、メモリ２０６から読み出した来訪者の音声（送話音声）を、親機スピーカ２０２から出力させて再生することができる。
【００５０】
なお、前述までの説明によれば、インターホン親機２のメモリ２０６に録音される当該音声圧縮信号として、ドアホン子機１から伝送路Ｌを経由して伝送されてくる子機音声圧縮信号Ｓ11を適用したが、この信号に限定されるものではない。例えば、特定の居住者が他の居住者に対する音声メッセージをメモリ２０６に録音するにあたり、インターホン親機２の親機マイク２０１に入力された居住者の音声メッセージであるアナログ音声信号Ｓ30は、親機通話回路２０３、図３（ａ）に示す親機音声圧縮回路２０４を構成する入力抵抗Ｒ204aを順次経由して、オペアンプＯＰ204の反転入力端子に入力されるとともに逆並列接続された１対のダイオードＤ204a（のアノード）、Ｄ204b（のカソード）にそれぞれ印加される。
【００５１】
インターホン親機２の親機音声圧縮回路２０４を構成するオペアンプＯＰ204は、反転入力端子に入力されたアナログ音声信号Ｓ30を、逆並列接続された１対のダイオードＤ204a、Ｄ204bが有する図４（ａ）に示す順方向電圧ＶＦまでは入力抵抗Ｒ204aと第１の帰還抵抗Ｒ204bとの比によって得られるゲインで増幅する一方、同図に示す順方向電圧ＶＦを超えた領域では、図４（ｂ）に示すダイオード電圧特性によって圧縮した親機音声圧縮信号Ｓ31を生成する。この親機音声圧縮信号Ｓ31は、オペアンプＯＰ105の出力端子からメモリ２０６に送出され、当該メモリに録音することができる。
【００５２】
また、前述の音声メッセージの録音時に録音された親機音声圧縮信号Ｓ31をインターホン親機２のメモリ２０６から読み出し、親機音声伸張回路２０５を経由して伸張し親機スピーカ２０２から再生させるにあたり、居住者が録音／再生ボタン２０７を使用して再生操作を行うと、この再生操作を検出した親機制御回路２０９は、メモリ２０６から読み出した親機音声圧縮信号Ｓ31を、図３（ｂ）に示す親機音声伸張回路２０５を構成する第１の入力抵抗Ｒ205aを経由して、オペアンプＯＰ205の反転入力端子に入力するとともに逆並列接続された１対のダイオードＤ205a（のアノード）、Ｄ205b（のカソード）にそれぞれ印加する。
【００５３】
インターホン親機２の親機音声伸張回路２０５を構成するオペアンプＯＰ205は、反転入力端子に入力された親機音声圧縮信号Ｓ31を、逆並列接続された１対のダイオードＤ205a、Ｄ205bが有する図４（ａ）に示す順方向電圧ＶＦまでは第１の入力抵抗Ｒ205aと帰還抵抗Ｒ205cとの比によって得られるゲインで増幅する一方、同図に示す順方向電圧ＶＦを超えた領域では、図４（ｂ）に示すダイオード電圧特性によって伸張したアナログ音声信号Ｓ30を生成する。このアナログ音声信号Ｓ30は、オペアンプＯＰ205の出力端子から親機通話回路２０３に送出される。
【００５４】
インターホン親機２の親機通話回路２０３は、親機音声伸張回路２０５を経由して伸張されたアナログ音声信号Ｓ30を親機スピーカ２０２に送出することにより、メモリ２０６から読み出した居住者の音声メッセージを、親機スピーカ２０２から出力させて再生することができる。
【００５５】
本発明のインターホン装置においては、特定の実施の形態をもって説明してきたが、この形態に限定されるものでなく、本発明の効果を奏する限り、これまで知られた如何なる構成のインターホンシステムであっても採用できるということはいうまでもないことである。
【図面の簡単な説明】
【００５６】
【図１】図１は、本発明の実施例によるインターホン装置の全体構成を示すブロック図である。
【図２】図２（ａ）は、ドアホン子機の子機音声圧縮回路の具体的な構成を示す電気回路図である。また、図２（ｂ）は、ドアホン子機の子機音声伸張回路の具体的な構成を示す電気回路図である。
【図３】図３（ａ）は、インターホン親機の親機音声圧縮回路の具体的な構成を示す電気回路図である。また、図３（ｂ）は、インターホン親機の親機音声伸張回路の具体的な構成を示す電気回路図である。
【図４】図４（ａ）は、ドアホン子機の子機音声圧縮回路及び子機音声伸張回路、インターホン親機の親機音声圧縮回路及び親機音声伸張回路がそれぞれ構成する逆並列接続された１対のダイオードが有するダイオード電圧特性図である。また、図４（ｂ）は、図４（ａ）の各回路にて行われるアナログ音声信号の圧縮方法の一例及び音声圧縮信号の伸張方法の一例をそれぞれ示す波形図である。
【符号の説明】
【００５７】
１……ドアホン子機
１００……呼出ボタン
１０１……子機マイク
１０２……子機スピーカ
１０４……子機音声圧縮回路
Ｒ104a……入力抵抗
Ｒ104b、Ｒ104c……第１、第２の各帰還抵抗
Ｄ104a、Ｄ104b……逆並列接続された１対のダイオード
ＯＰ104……オペアンプ
１０５……子機音声伸張回路
Ｒ105a、Ｒ105b……第１、第２の各入力抵抗
Ｒ105c……帰還抵抗
Ｄ105a、Ｄ105b……逆並列接続された１対のダイオード
ＯＰ105……オペアンプ
２……インターホン親機
２０１……親機マイク
２０２……親機スピーカ
２０４……親機音声圧縮回路
Ｒ204a……入力抵抗
Ｒ204b、Ｒ204c……第１、第２の各帰還抵抗
Ｄ204a、Ｄ204b……逆並列接続された１対のダイオード
ＯＰ204……オペアンプ
２０５……親機音声伸張回路
Ｒ205a、Ｒ205b……第１、第２の各入力抵抗
Ｒ205c……帰還抵抗
Ｄ205a、Ｄ205b……逆並列接続された１対のダイオード
ＯＰ205……オペアンプ
２０６……メモリ
２０９……親機制御回路
Ｌ……伝送路
【図１】
2008061006.tif 000003
【図２】
2008061006.tif 000004
【図３】
2008061006.tif 000005
【図４】
2008061006.tif 000006